(57)【特許請求の範囲】
【請求項１】
画像定着部の定着部材を加熱する配光の異なる複数のハロゲンランプヒーターと、
交流電源と、
前記定着部材の温度を検出する温度検出手段と、
前記温度検出手段の出力に基づき前記ハロゲンランプヒーターの印加パターンを算出し、前記印加パターンに基づいて前記交流電源の交流波形の半波を適宜選択した駆動電圧を前記ハロゲンランプヒーターに印加する制御手段と、
を備え、
前記複数のハロゲンランプヒーターは、前記定着部材の全体を加熱する全域配光のハロゲンランプヒーター及び前記定着部材の中央部分を加熱する中央配光のハロゲンランプヒーターを含み、記録媒体の幅が前記中央配光のハロゲンランプヒーターの幅よりも狭い場合において、
前記制御手段は、デューティー比が所定の値以下である第１印加パターンに基づく駆動電圧を前記中央配光のハロゲンランプヒーターに印加し、
その後、前記第１印加パターンに基づく駆動電圧の前記中央配光のハロゲンランプヒーターに対する印加時間が所定の時間を超えた場合において、非通紙領域の温度が所定の閾値未満である場合に、デューティー比が所定の値よりも高い第２印加パターンに基づく駆動電圧を全域配光のハロゲンランプヒーターに印加し、
その後、前記非通紙領域の温度が前記閾値以上になった場合、前記第１印加パターンに基づく駆動電圧を前記中央配光のハロゲンランプヒーターに印加することを特徴とする画像形成装置。
【請求項２】
前記制御手段は、前記中央配光のハロゲンランプヒーターに対する前記第１印加パターンに基づく駆動電圧の印加時間が所定の時間を超えた場合において、前記非通紙領域の温度が前記閾値以上である場合に、画像形成を中止させ、前記定着部材を回転させることを特徴とする請求項１に記載の画像形成装置。
【請求項３】
画像定着部の定着部材を加熱する配光の異なる複数のハロゲンランプヒーターと、
交流電源と、
前記定着部材の温度を検出する温度検出手段と、
前記温度検出手段の出力に基づき前記ハロゲンランプヒーターの印加パターンを算出し、前記印加パターンに基づいて前記交流電源の交流波形の半波を適宜選択した駆動電圧を前記ハロゲンランプヒーターに印加する制御手段と、
を備え、
前記複数のハロゲンランプヒーターは、前記定着部材の全体を加熱する全域配光のハロゲンランプヒーター、前記定着部材の中央部分を加熱する中央配光のハロゲンランプヒーター及び前記定着部材の端部を加熱する端部配光のハロゲンランプヒーターを含み、記録媒体の幅が前記中央配光のハロゲンランプヒーターの幅より広く、前記全域配光のハロゲンランプヒーターの幅以下の場合において、
前記制御手段は、前記端部配光のハロゲンランプヒーターをＯＮ／ＯＦＦ制御し、前記全域配光のハロゲンランプヒーターを全点灯させ、デューティー比が所定の値以下である第１印加パターンに基づく駆動電圧を前記中央配光のハロゲンランプヒーターに印加し、
その後、前記中央配光のハロゲンランプヒーターへの駆動電圧の印加時間が所定の時間を超えた場合、前記全域配光のハロゲンランプヒーターを消灯し、デューティー比が所定の値よりも高い第２印加パターンに基づく駆動電圧を前記中央配光のハロゲンランプヒーターに印加し、
その後、前記定着部材の端部の温度が所定の閾値以下になった場合、デューティー比が所定の値よりも高い第３印加パターンに基づく駆動電圧を前記全域配光のハロゲンランプヒーターと前記中央配光のハロゲンランプヒーターに印加することを特徴とする画像形成装置。
【請求項４】
前記制御手段は、前記第３印加パターンに基づく駆動電圧を前記全域配光のハロゲンランプヒーターと前記中央配光のハロゲンランプヒーターに印加した後、前記端部の温度が閾値以上になった場合、前記全域配光のハロゲンランプヒーターを全点灯させ、前記第１印加パターンに基づく駆動電圧を前記中央配光のハロゲンランプヒーターに印加することを特徴とする請求項３に記載の画像形成装置。
【請求項５】
画像定着部の定着部材を加熱する配光の異なる複数のハロゲンランプヒーターと、
交流電源と、
前記定着部材の温度を検出する温度検出手段と、
前記温度検出手段の出力に基づき前記ハロゲンランプヒーターの印加パターンを算出し、前記印加パターンに基づいて前記交流電源の交流波形の半波を適宜選択した駆動電圧を前記ハロゲンランプヒーターに印加する制御手段と、
を備え、
前記複数のハロゲンランプヒーターは、前記定着部材の全体を加熱する全域配光のハロゲンランプヒーター及び前記定着部材の中央部分を加熱する中央配光のハロゲンランプヒーターを含み、記録媒体の幅が前記中央配光のハロゲンランプヒーターの幅よりも狭い場合において、
前記制御手段は、
前記中央配光のハロゲンランプヒーターを全点灯させ、前記全域配光のハロゲンランプヒーターに対してデューティー比が所定の値以下である前記印加パターンに基づく駆動電圧を印加させ、
その後前記全域配光のハロゲンランプヒーターに対する駆動電圧の印加時間が所定の時間を超えた時に、前記中央配光のハロゲンランプヒーター及び前記全域配光のハロゲンランプヒーターに、デューティー比が所定の値よりも高い前記印加パターンに基づく駆動電圧を印加することを特徴とする画像形成装置。
【発明の詳細な説明】
【技術分野】
【０００１】
本発明は、画像形成装置に関する。
【背景技術】
【０００２】
従来、画像形成装置の定着制御において、ハロゲンランプヒーターを定着ヒーターとして用い、ＯＮ／ＯＦＦ制御により当該定着ヒーターの温度を制御している。一方、より細分化した温度制御を行うために、交流波形の半波を適宜選択した駆動電圧をハロゲンランプヒーターに供給する制御方法がある。
【０００３】
このような制御方法では、必要とする熱量に応じて、所定の周期において交流波形の半波の数（デューティー比）を適宜選択するので、選択される交流波形の半波の数に応じてハロゲンランプヒーターに供給される駆動電圧の実効値が変化する。
【０００４】
一方、ハロゲンランプヒーターには、所謂、ハロゲンサイクルが最も効率よく行われる基準電圧があり、選択される交流波形の半波の数が少なく、供給される駆動電圧の実効値が基準電圧より低い場合、ハロゲンランプヒーターのフィラメント（タングステン）の温度が低くなり、当該フィラメントが浸食されてしまう現象（所謂、ケミカルアタック）が発生する。
【０００５】
このため、待機モードで動作する場合であっても、ハロゲンサイクルが発生するように、所定の周期毎に、ハロゲンランプヒーターを全点灯（ＯＮ）し、フィラメントが所定の温度に達した場合、ハロゲンランプヒーターを消灯（ＯＦＦ）することなく、交流波形の半波を適宜選択した駆動電圧をハロゲンランプヒーターに供給することにより、フィラメントの断線を防止すると共に、フリッカを低減させるヒーター制御装置がある（特許文献１参照）。
【先行技術文献】
【特許文献】
【０００６】
【特許文献１】特開２０１１−２５７６０４号公報
【発明の概要】
【発明が解決しようとする課題】
【０００７】
しかしながら、画像形成に際して必要とされる熱量は、記録媒体である用紙の紙種やサイズにより異なるため、例えば、小さいサイズの用紙に画像形成する場合には、必要とされる熱量が少ないので、所定の周期において選択される交流波形の半波の数が少ない（低デューティー比）印加パターンとなる。このため、このような低デューティー比の印加パターンに基づく駆動電圧の供給が長時間継続する場合、ケミカルアタックが生じて、ハロゲンランプヒーターの寿命が短くなってしまうといった問題点があった。
【０００８】
本発明の課題は、ハロゲンランプヒーターの寿命を延ばすことができる画像形成装置を提供することにある。
【課題を解決するための手段】
【０００９】
上記課題を達成するため、請求項１に記載の発明の画像形成装置は、
画像定着部の定着部材を加熱する配光の異なる複数のハロゲンランプヒーターと、
交流電源と、
前記定着部材の温度を検出する温度検出手段と、
前記温度検出手段の出力に基づき前記ハロゲンランプヒーターの印加パターンを算出し、前記印加パターンに基づいて前記交流電源の交流波形の半波を適宜選択した駆動電圧を前記ハロゲンランプヒーターに印加する制御手段と、
を備え、
前記複数のハロゲンランプヒーターは、前記定着部材の全体を加熱する全域配光のハロゲンランプヒーター及び前記定着部材の中央部分を加熱する中央配光のハロゲンランプヒーターを含み、記録媒体の幅が前記中央配光のハロゲンランプヒーターの幅よりも狭い場合において、
前記制御手段は、デューティー比が所定の値以下である第１印加パターンに基づく駆動電圧を前記中央配光のハロゲンランプヒーターに印加し、
その後、前記第１印加パターンに基づく駆動電圧の前記中央配光のハロゲンランプヒーターに対する印加時間が所定の時間を超えた場合において、非通紙領域の温度が所定の閾値未満である場合に、デューティー比が所定の値よりも高い第２印加パターンに基づく駆動電圧を全域配光のハロゲンランプヒーターに印加し、
その後、前記非通紙領域の温度が前記閾値以上になった場合、前記第１印加パターンに基づく駆動電圧を前記中央配光のハロゲンランプヒーターに印加することを特徴としている。
【００１２】
請求項２に記載の発明は、請求項１に記載の画像形成装置において、
前記制御手段は、前記中央配光のハロゲンランプヒーターに対する前記第１印加パターンに基づく駆動電圧の印加時間が所定の時間を超えた場合において、前記非通紙領域の温度が前記閾値以上である場合に、画像形成を中止させ、前記定着部材を回転させることを特徴としている。
【００１３】
請求項３に記載の発明は、
画像定着部の定着部材を加熱する配光の異なる複数のハロゲンランプヒーターと、
交流電源と、
前記定着部材の温度を検出する温度検出手段と、
前記温度検出手段の出力に基づき前記ハロゲンランプヒーターの印加パターンを算出し、前記印加パターンに基づいて前記交流電源の交流波形の半波を適宜選択した駆動電圧を前記ハロゲンランプヒーターに印加する制御手段と、
を備え、
前記複数のハロゲンランプヒーターは、前記定着部材の全体を加熱する全域配光のハロゲンランプヒーター、前記定着部材の中央部分を加熱する中央配光のハロゲンランプヒーター及び前記定着部材の端部を加熱する端部配光のハロゲンランプヒーターを含み、記録媒体の幅が前記中央配光のハロゲンランプヒーターの幅より広く、前記全域配光のハロゲンランプヒーターの幅以下の場合において、
前記制御手段は、前記端部配光のハロゲンランプヒーターをＯＮ／ＯＦＦ制御し、前記全域配光のハロゲンランプヒーターを全点灯させ、デューティー比が所定の値以下である第１印加パターンに基づく駆動電圧を前記中央配光のハロゲンランプヒーターに印加し、
その後、前記中央配光のハロゲンランプヒーターへの駆動電圧の印加時間が所定の時間を超えた場合、前記全域配光のハロゲンランプヒーターを消灯し、デューティー比が所定の値よりも高い第２印加パターンに基づく駆動電圧を前記中央配光のハロゲンランプヒーターに印加し、
その後、前記定着部材の端部の温度が所定の閾値以下になった場合、デューティー比が所定の値よりも高い第３印加パターンに基づく駆動電圧を前記全域配光のハロゲンランプヒーターと前記中央配光のハロゲンランプヒーターに印加することを特徴としている。
【００１４】
請求項４に記載の発明は、請求項３に記載の画像形成装置において、
前記制御手段は、前記第３印加パターンに基づく駆動電圧を前記全域配光のハロゲンランプヒーターと前記中央配光のハロゲンランプヒーターに印加した後、前記端部の温度が閾値以上になった場合、前記全域配光のハロゲンランプヒーターを全点灯させ、前記第１印加パターンに基づく駆動電圧を前記中央配光のハロゲンランプヒーターに印加することを特徴としている。
請求項５に記載の発明は、
画像定着部の定着部材を加熱する配光の異なる複数のハロゲンランプヒーターと、
交流電源と、
前記定着部材の温度を検出する温度検出手段と、
前記温度検出手段の出力に基づき前記ハロゲンランプヒーターの印加パターンを算出し、前記印加パターンに基づいて前記交流電源の交流波形の半波を適宜選択した駆動電圧を前記ハロゲンランプヒーターに印加する制御手段と、
を備え、
前記複数のハロゲンランプヒーターは、前記定着部材の全体を加熱する全域配光のハロゲンランプヒーター及び前記定着部材の中央部分を加熱する中央配光のハロゲンランプヒーターを含み、記録媒体の幅が前記中央配光のハロゲンランプヒーターの幅よりも狭い場合において、
前記制御手段は、
前記中央配光のハロゲンランプヒーターを全点灯させ、前記全域配光のハロゲンランプヒーターに対してデューティー比が所定の値以下である前記印加パターンに基づく駆動電圧を印加させ、
その後前記全域配光のハロゲンランプヒーターに対する駆動電圧の印加時間が所定の時間を超えた時に、前記中央配光のハロゲンランプヒーター及び前記全域配光のハロゲンランプヒーターに、デューティー比が所定の値よりも高い前記印加パターンに基づく駆動電圧を印加することを特徴としている。
【発明の効果】
【００１５】
本発明によれば、ハロゲンランプヒーターの寿命を延ばすことができる。
【図面の簡単な説明】
【００１６】
【図１】本発明を適用した実施形態の画像形成装置の概略構成を示す図である。
【図２】画像形成装置の主要な機能構成を示すブロック図である。
【図３】画像定着部の構成を示す模式図である。
【図４】定着ローラーの内部構成を示す模式図である。
【図５】画像定着部の制御回路図である。
【図６】交流波形の半波の選択動作の一例を示す説明図である。
【図７】画像形成装置の動作の一例を示すフローチャートである。
【図８】画像形成装置の動作の他の一例を示すフローチャートである。
【発明を実施するための形態】
【００１７】
（実施形態）
［１．構成の説明］
以下、本発明の画像形成装置に係る実施の形態を図面に基づいて説明する。
図１は、本発明の実施形態である画像形成装置１の概略構成を示す図である。図２は、画像形成装置１の主要な機能構成を示すブロック図である。
【００１８】
画像形成装置１は、ＣＰＵ１０１（Central Processing Unit）、ＲＡＭ１０２（Random Access Memory）及びＲＯＭ１０３（Read Only Memory）を有する制御部１０、記憶部１１、操作部１２、表示部１３、インターフェース１４、スキャナー１５、画像処理部１６、画像形成部１７、画像定着部１８及び搬送部１９等を備える。制御部１０は、バス２１を介して記憶部１１、操作部１２、表示部１３、インターフェース１４、スキャナー１５、画像処理部１６、画像形成部１７、画像定着部１８及び搬送部１９と接続されている。
【００１９】
ＣＰＵ１０１は、ＲＯＭ１０３又は記憶部１１に記憶されている制御用プログラムを読み出して実行し、各種演算処理を行う。
【００２０】
ＲＡＭ１０２は、ＣＰＵ１０１に作業用のメモリー空間を提供し、一時データを記憶する。
【００２１】
ＲＯＭ１０３は、ＣＰＵ１０１により実行される各種制御用のプログラムや設定データ等を格納する。なお、ＲＯＭ１０３に代えてＥＥＰＲＯＭ（Electrically Erasable Programmable Read Only Memory）やフラッシュメモリー等の書き換え可能な不揮発性メモリーが用いられてもよい。
【００２２】
これらのＣＰＵ１０１、ＲＡＭ１０２及びＲＯＭ１０３を備える制御部１０は、上述の各種制御用プログラムに従って画像形成装置１の各部を統括制御する。例えば、制御部１０は、画像処理部１６に画像データに対する所定の画像処理を行わせて記憶部１１に記憶させる。また、制御部１０は、搬送部１９に用紙を搬送させ、記憶部１１に記憶された画像データに基づいて画像形成部１７により用紙に画像を形成させる。
【００２３】
記憶部１１は、半導体メモリーであるＤＲＡＭ（Dynamic Random Access Memory）やＨＤＤ（Hard Disk Drive）等の記憶手段により構成され、スキャナー１５により取得された画像データや、インターフェース１４を介して外部から入力された画像データ等が記憶される。なお、これらの画像データ等はＲＡＭ１０２に記憶されてもよい。
【００２４】
操作部１２は、操作キーや表示部１３の画面に重ねられて配置されたタッチパネル等の入力デバイスを備え、これらの入力デバイスに対する入力操作を操作信号に変換して制御部１０に出力する。
【００２５】
表示部１３は、ＬＣＤ（Liquid crystal display）等の表示装置を備え、画像形成装置１の状態や、タッチパネルへの入力操作の内容を示す操作画面等を表示する。
【００２６】
インターフェース１４は、外部のコンピューター、他の画像形成装置などとの間でデータの送受信を行う手段であり、例えば、各種シリアルインターフェースのいずれかにより構成される。
【００２７】
スキャナー１５は、用紙に形成された画像を読み取り、Ｒ（赤）、Ｇ（緑）及びＢ（青）の色成分毎の単色画像データを含む画像データを生成して記憶部１１に記憶させる。
【００２８】
画像処理部１６は、例えば、ラスタライズ処理部、色変換部、階調補正部、ハーフトーン処理部を備え、記憶部１１に記憶された画像データに各種画像処理を施して記憶部１１に記憶させる。
【００２９】
画像形成部１７は、記憶部１１に記憶された画像データに基づき、用紙に画像を形成する。画像形成部１７は、Ｃ（シアン）、Ｍ（マゼンタ）、Ｙ（イエロー）及びＫ（黒）の色成分に各々対応する４組の露光部１７１、感光体１７２及び現像部１７３を備えている。また、画像形成部１７は、転写体１７４及び２次転写ローラー１７５を備えている。
【００３０】
露光部１７１は、発光素子としてのＬＤ（Laser Diode）を備えている。露光部１７１
は、画像データに基づいてＬＤを駆動し、帯電する感光体１７２上にレーザー光を照射、露光して感光体１７２上に静電潜像を形成する。現像部１７３は、露光された感光体１７２上に帯電する現像ローラーにより所定の色（Ｃ、Ｍ、Ｙ及びＫのいずれか）のトナー（色材）を供給して、感光体１７２上に形成された静電潜像を現像する。
Ｃ、Ｍ、Ｙ及びＫに対応する４つの感光体１７２上に各々Ｃ、Ｍ、Ｙ及びＫのトナーで形成された画像（単色画像）は、各感光体１７２から転写体１７４上に順次重ねられて転写される。これにより、転写体１７４上にＣ、Ｍ、Ｙ及びＫを色成分とするカラー画像が形成される。転写体１７４は、複数の転写体搬送ローラーに巻き回された無端ベルトであり、各転写体搬送ローラーの回転に従って回転する。
２次転写ローラー１７５は、転写体１７４上のカラー画像を、給紙トレイ２２又は外部に設けられる給紙装置から給紙された用紙上に転写する。詳しくは、用紙及び転写体１７４を挟持する２次転写ローラー１７５に所定の転写電圧が印加されることにより、転写体１７４上においてカラー画像を形成しているトナーが用紙側に引き寄せられて用紙に転写される。
【００３１】
画像定着部１８は、トナーが転写された用紙を加熱及び加圧してトナーを用紙に定着させる定着処理を行う。
【００３２】
図３は、画像定着部１８の構成を示す模式図である。画像定着部１８は、定着ローラー１８３、加圧ローラー１８４及び温度検出部１８５等を備える。画像定着部１８及び制御部１０により定着装置が構成される。
【００３３】
定着ローラー１８３は、その回転軸方向に延在する定着ランプ（或いは、定着ヒーター）であるハロゲンランプヒーター１８６〜１８８を備える。ハロゲンランプヒーター１８６〜１８８は、制御部１０による制御下で通電することにより発熱する。また、定着ローラー１８３は、制御部１０による制御下で図示しないモーター等の回転駆動手段により駆動されて回転する。また、定着ローラー１８３には、定着ローラー１８３の温度を検出する温度検出部１８５が設けられている。温度検出部１８５は、定着ローラー１８３の温度を検出することができれば、一つ設けられていてもよいし複数設けられていてもよい。
【００３４】
図４は、定着ローラー１８３の内部構成を示す模式図である。
ハロゲンランプヒーター１８６〜１８８は、それぞれ筒部１８６ａ〜１８８ａ内にタングステンのフィラメント１８６ｂ〜１８８ｂを備えて構成され、筒部１８６ａ〜１８８ａ内にはそれぞれ所定の濃度のハロゲンガスが封入されている。筒部１８６ａ〜１８８ａ内に封入されるハロゲンガスの濃度に基づき、各ハロゲンランプヒーター１８６〜１８８の基準電圧が設定されている。
【００３５】
また、ハロゲンランプヒーター１８６のフィラメント１８６ｂは、定着ローラー１８３の軸方向中央部のみを加熱するように構成され（中央配光）、ハロゲンランプヒーター１８７のフィラメント１８７ｂは、定着ローラー１８３の軸方向全体を加熱するように構成され（全域配光）、ハロゲンランプヒーター１８８のフィラメント１８８ｂは、定着ローラー１８３の軸方向端部のみを加熱するように構成されている（端部配光）。
【００３６】
図３に示すように、加圧ローラー１８４は、弾性部材（図示略）により定着ローラー１８３に近づく方向に付勢されて定着ローラー１８３に圧着され、定着ローラー１８３との間に定着ニップを形成しながら定着ローラー１８３の回転に伴って回転する。
なお、加圧ローラー１８４は、制御部１０による制御下で図示しないモーター等の回転駆動手段により駆動されて回転するものとしてもよい。
【００３７】
定着ローラー１８３及び加圧ローラー１８４は、記録媒体である用紙Ｐを定着ニップで挟持して図３の矢印により示される搬送方向Ｒに搬送しながら用紙Ｐを加熱及び加圧する。これにより、定着ローラー１８３及び加圧ローラー１８４は、用紙Ｐ上のトナーを溶融させて定着させる。用紙Ｐと接触する際の定着ローラー１８３の温度は、例えば、１８０℃以上２００℃以下の範囲とされる。したがって、ハロゲンランプヒーター１８６〜１８８は、定着ローラー１８３がこの温度となるように定着ローラー１８３を加熱する。
【００３８】
図１に示すように、搬送部１９は、用紙を挟持した状態で回転することで用紙を搬送する用紙搬送ローラーを複数備え、所定の搬送経路で用紙を搬送する。搬送部１９は、画像定着部１８により定着処理が行われた用紙の表裏を反転させて２次転写ローラー１７５へ搬送する反転機構１９１を備えている。画像形成装置１では、用紙の両面に画像を形成する場合に反転機構１９１による用紙の表裏の反転が行われて両面に画像が形成された後に用紙が排紙トレイ２３に排出される。用紙の片面にのみ画像を形成する場合には、反転機構１９１による用紙の表裏の反転が行われることなく片面に画像が形成された用紙が排紙トレイ２３に排出される。
【００３９】
［２．画像定着部の制御回路の説明］
図５において、交流電源１８１１は、一般的な交流電力（例えば、１００Ｖ、或いは、２００Ｖ、５０Ｈｚ又は６０Ｈｚ）を出力する。
【００４０】
スイッチング素子１８１２、スイッチング素子１８１３及びスイッチング素子１８１４は、サイリスターや双方向サイリスター（トライアック）等の素子であり、制御端子であるゲートにトリガー信号が印加されると、「ＯＮ」となって導通する。交流電源１８１１の出力は、それぞれスイッチング素子１８１２、スイッチング素子１８１３及びスイッチング素子１８１４の入力端子に接続され、スイッチング素子１８１２、スイッチング素子１８１３及びスイッチング素子１８１４の出力端子はハロゲンランプヒーター１８６〜１８８の入力端子にそれぞれ接続される。
【００４１】
制御部１０は、ハロゲンランプヒーター１８６〜１８８の温度制御を行う。具体的には、制御部１０は、スイッチング素子１８１２、スイッチング素子１８１３及びスイッチング素子１８１４と共に電力制御部として機能し、スイッチング素子１８１２、スイッチング素子１８１３及びスイッチング素子１８１４を制御信号（ＣＳ１８１、ＣＳ１８２、ＣＳ１８３）により制御して、交流電源１８１１から出力される交流波形の半波を選択した駆動電圧を、ハロゲンランプヒーター１８６〜１８８に供給する。
【００４２】
温度検出部１８５は、温度センサー等の温度検出素子であり、定着ローラー１８３の近傍に設けられて、定着ローラー１８３の温度を検出して制御部１０に出力する。
【００４３】
ゼロクロス検出部１８１５は、交流電源１８１１の出力の取り込み、ゼロクロス信号ＺＣ１８１を発生させて制御部１０に出力する。
【００４４】
［３．交流波形の半波の選択の説明］
ここで、スイッチング素子１８１２、スイッチング素子１８１３及びスイッチング素子１８１４により、交流電源１８１１から出力される交流波形の半波を選択した駆動電圧を、ハロゲンランプヒーター１８６〜１８８に供給する方法を図６を用いて説明する。
【００４５】
ゼロクロス検出部１８１５は、図６（ｂ）に示すように、交流電源１８１１から出力される交流波形が±０Ｖを通過する点を検出し、検出した時点で出力値を切り換えたゼロクロス信号ＺＣ１８１を発生させて制御部１０に出力する。
【００４６】
制御部１０は、図６（ｃ）に示すように、入力されたゼロクロス信号ＺＣ１８１に同期させた制御信号ＣＳ１８１（制御信号ＣＳ１８２、或いは、制御信号ＣＳ１８３）を発生させてスイッチング素子１８１２（スイッチング素子１８１３、或いは、スイッチング素子１８１４）の制御端子に印加する。
【００４７】
すなわち、図６に示すように、制御部１０から制御信号ＣＳ１８１（制御信号ＣＳ１８２、或いは、制御信号ＣＳ１８３）が印加された周期Ｔ１、周期Ｔ２、周期Ｔ４で、スイッチング素子１８１２（スイッチング素子１８１３、或いは、スイッチング素子１８１４）が「ＯＮ」になって導通して、交流電源１８１１から出力される交流波形の半波が選択され、ハロゲンランプヒーター１８６（ハロゲンランプヒーター１８７、或いは、ハロゲンランプヒーター１８８）に供給される。
【００４８】
一方、制御部１０から制御信号ＣＳ１８１（制御信号ＣＳ１８２、或いは、制御信号ＣＳ１８３）が印加されなかった周期Ｔ３では、スイッチング素子１８１２（スイッチング素子１８１３、或いは、スイッチング素子１８１４）が「ＯＦＦ」のままで非導通であるので、交流電源１８１１から出力される交流波形の半波は選択されない。
【００４９】
また、スイッチング素子１８１２（スイッチング素子１８１３、或いは、スイッチング素子１８１４）は、一旦、ゲートにトリガー信号（制御信号）が、印加されると導通状態が維持されるが、交流波形のように電圧が０Ｖになると非導通に戻るので、周期Ｔ２において導通させても、周期Ｔ３では自動的に非導通に戻ることになる。
【００５０】
［４．画像形成装置の動作の説明］
ここで、図７及び図８のフローチャートを用いて画像形成装置１の動作を説明する。
なお、用紙Ｐの大きさとして、例えば、中央配光のハロゲンランプヒーター１８６のフィラメント１８６ｂよりも大きく、全域配光のハロゲンランプヒーター１８７のフィラメント１８７ｂ以下であるサイズの用紙Ｐを、「大サイズ」とし、中央配光のハロゲンランプヒーター１８６のフィラメント１８６ｂよりも小さいサイズの用紙Ｐを「小サイズ」として想定する。
【００５１】
［４−１．小サイズの用紙のプリント時の動作の説明］
図７に示すフローチャートは、用紙Ｐが「小サイズ」、且つ、紙厚が薄く、必要とされる熱量が小さい場合を想定している。また、全域配光のハロゲンランプヒーター１８７の出力が７００Ｗ、フィラメント長３２０ｍｍ、中央配光のハロゲンランプヒーター１８６の出力が９００Ｗ、フィラメント長２１０ｍｍであるものとする。
【００５２】
制御部１０は、プリント（画像形成）を開始しようとしている用紙Ｐが「小サイズ」であるか否かを判断する（ステップＳ７０１）。すなわち、用紙Ｐの搬送方向に直交する幅が、中央配光のハロゲンランプヒーター１８６のフィラメント１８６ｂよりも小さいか否かを判断する。
【００５３】
制御部１０は、プリント（画像形成）を開始しようとしている用紙Ｐが「小サイズ」であると判断した場合（ステップＳ７０１：Ｙｅｓ）、中央配光のハロゲンランプヒーター１８６で用紙Ｐを十分加熱できるので、温度検出部１８５の出力に基づき、中央配光のハロゲンランプヒーター１８６に対する印加パターンを算出する（ステップＳ７０２）。そして、当該印加パターンに基づいて交流電源１８１１の交流波形の半波を適宜選択した駆動電圧を中央配光のハロゲンランプヒーター１８６に印加して、目標温度になるように調整する（ステップＳ７０３）。
【００５４】
ここで、印加パターンとは、所定の周期の交流波形の半波をデューティー比に基づき選択したものである。また、印加パターンのデューティー比が所定の値、例えば、４０％以下の場合には、低デューティー比の駆動電圧であると判断して、当該駆動電圧の印加時間を監視する。
【００５５】
すなわち、例えば、印加パターンのデューティー比が４０％程度の低デューティー比の駆動電圧を中央配光のハロゲンランプヒーター１８６に印加した場合、実効電圧がハロゲンランプヒーターの基準電圧よりも低くなってしまい、前述のケミカルアタックが生じてしまうおそれがあるためである。
【００５６】
例えば、「小サイズ」、且つ、紙厚が薄い用紙Ｐの定着に必要な目標温度（例えば、１８０℃以上２００℃以下）に加熱するための熱量が３６０Ｗ程度であるとした場合、中央配光のハロゲンランプヒーター１８６に対する印加パターンのデューティー比は４０．０％（＝３６０Ｗ／９００Ｗ）になり、低デューティー比の駆動電圧となる。
【００５７】
したがって、制御部１０は、低デューティー比（４０．０％以下）の駆動電圧の印加時間が所定の時間を超えたか否かを判断する（ステップＳ７０４）。ここで、所定の時間とは数分程度の時間であり、当該所定の時間を超えた場合には、使用するヒーターを、全域配光のハロゲンランプヒーター１８７に切り換えて、中央配光のハロゲンランプヒーター１８６の劣化を防止する。
【００５８】
すなわち、制御部１０は、低デューティー比の駆動電圧の印加時間が所定の時間を超えたと判断した場合（ステップＳ７０４：Ｙｅｓ）、定着ローラー１８３の非通紙領域の温度が所定の閾値以上であるか否かを判断する（ステップＳ７０５）。
【００５９】
そして、制御部１０は、所定の閾値以上ではない判断した場合（ステップＳ７０５：Ｎｏ）、温度検出部１８５の出力に基づき、全域配光のハロゲンランプヒーター１８７に対する印加パターンを算出する（ステップＳ７０６）。そして、当該印加パターンに基づいて交流電源１８１１の交流波形の半波を適宜選択した駆動電圧を全域配光のハロゲンランプヒーター１８７に印加して、目標温度になるように調整する（ステップＳ７０７）。この時、中央配光のハロゲンランプヒーター１８６はＯＦＦ（消灯）にする。
【００６０】
なお、用紙Ｐの紙厚によって、例えば、厚紙の場合、中央配光のハロゲンランプヒーター１８６に対する駆動電圧が低デューティー比にならない場合があるので、制御部１０は、デューティー比の駆動電圧の印加時間が所定の時間を超えていないと判断した場合（ステップＳ７０４：Ｎｏ）、単純にステップＳ７０４に戻るだけではなく、併せて、プリント（画像形成）終了の判断を行って処理を終了してもよい。
【００６１】
ステップＳ７０６において、全域配光のハロゲンランプヒーター１８７のフィラメント長３２０ｍｍのうち、中央配光のハロゲンランプヒーター１８６のフィラメント長２１０ｍｍに相当する部分で、出力される熱量は、
（７００Ｗ／３２０ｍｍ）×２１０ｍｍ＝４５９．４Ｗ
である。
【００６２】
また、用紙Ｐの定着に必要な熱量３６０Ｗを得るためには、全域配光のハロゲンランプヒーター１８７の印加パターンのデューティー比を、
３６０Ｗ／４５９．４Ｗ＝７８．４％
とすればよい。この場合には、低デューティー比の駆動電圧にはならず、ケミカルアタックが発生しない。
【００６３】
なお、印加パターンは、所定の周期の交流波形の半波をデューティー比に基づき選択したものであるので、正確にデューティー比が７８．４％の印加パターンを算出することはできないので、７８．４％により近いデューティー比であって、必要とされる熱量を満足する印加パターンを算出する。
【００６４】
一方、使用するヒーターを、全域配光のハロゲンランプヒーター１８７に切り換えて、中央配光のハロゲンランプヒーター１８６の劣化を防止した場合には、本来必要のない定着ローラー１８３の端部も加熱することになる。このため、定着ローラー１８３であって用紙Ｐが通過しない非通紙領域の温度上昇が生じる。
【００６５】
そこで、制御部１０は、定着ローラー１８３の非通紙領域の温度が上昇して、所定の閾値以上になったか否かを判断し（ステップＳ７０８）、所定の閾値以上になったと判断した場合（ステップＳ７０８：Ｙｅｓ）、温度検出部１８５の出力に基づき、中央配光のハロゲンランプヒーター１８６に対する印加パターンを算出する（ステップＳ７０９）。そして、当該印加パターンに基づいて交流電源１８１１の交流波形の半波を適宜選択した駆動電圧を中央配光のハロゲンランプヒーター１８６に印加して、目標温度になるように調整する（ステップＳ７１０）。この時、全域配光のハロゲンランプヒーター１８７はＯＦＦ（消灯）にする。
【００６６】
例えば、ステップＳ７０２及びステップＳ７０３における印加パターン（低デューティー比）と同じ印加パターンに基づく駆動電圧を中央配光のハロゲンランプヒーター１８６に印加して、非通紙領域の温度の上昇を防ぐようにする。
【００６７】
なお、条件によっては、定着ローラー１８３の非通紙領域の温度が上昇して、所定の閾値以上にならない場合があるので、制御部１０は、所定の閾値以上になっていないと判断した場合（ステップＳ７０８：Ｎｏ）、単純にステップＳ７０８に戻るだけではなく、併せて、プリント（画像形成）終了の判断を行って処理を終了してもよい。
【００６８】
ところで、ステップＳ７０９及びステップＳ７１０において、定着ローラー１８３の非通紙領域の温度を所定の閾値よりも低下させるように制御している最中に、中央配光のハロゲンランプヒーター１８６に対する低デューティー比の駆動電圧の印加時間が所定の時間を再度超えてしまう場合がある。但し、この場合、単純にステップＳ７０６及びステップＳ７０７に移行したのでは、定着ローラー１８３の非通紙領域の温度をさらに上昇させてしまうおそれが生じる。
【００６９】
このため、制御部１０は、定着ローラー１８３の非通紙領域の温度が所定の閾値以上である判断した場合（ステップＳ７０５：Ｙｅｓ）、言い換えれば、中央配光のハロゲンランプヒーター１８６に対する低デューティー比の駆動電圧の印加時間が所定の時間を超え、且つ、定着ローラー１８３の非通紙領域の温度が下がりきっていない場合、一旦、プリント（画像形成）を中止し、全てのハロゲンランプヒーターをＯＦＦ（消灯）し、定着ローラー１８３を回転させる（ステップＳ７１１）ことにより、定着ローラー１８３の非通紙領域の温度を低下させるように制御する。
【００７０】
そして、定着ローラー１８３の非通紙領域の温度を所定の閾値よりも低下した場合（ステップＳ７０５：Ｎｏ）、再度、ステップＳ７０６及びステップＳ７０７に移行して、プリント（画像形成）を再開することになる。
【００７１】
最後に、制御部１０は、プリント（画像形成）が終了したか否かを判断し（ステップＳ７１２）、プリント（画像形成）が終了していないと判断した場合（ステップＳ７１２：Ｎｏ）、ステップＳ７０４に戻り、プリント（画像形成）が終了したと判断した場合（ステップＳ７１２：Ｙｅｓ）、処理を終了する。
【００７２】
以上のように、制御部１０は、駆動電圧が印加される一つのハロゲンランプヒーターに対して、デューティー比が所定の値以下である印加パターンに基づく駆動電圧の印加時間が所定の時間を超えた場合、配光の異なる他のハロゲンランプヒーターに、デューティー比が所定の値よりも高い印加パターンに基づく駆動電圧を印加することにより、ケミカルアタックの発生を抑え、ハロゲンランプヒーターの寿命を延ばすことができる。
【００７３】
［４−２．大サイズの用紙のプリント時の動作の説明］
図８に示すフローチャートは、用紙Ｐが「大サイズ」である場合を想定している。また、全域配光のハロゲンランプヒーター１８７の出力が７００Ｗ、フィラメント長３２０ｍｍ、中央配光のハロゲンランプヒーター１８６の出力が９００Ｗ、フィラメント長２１０ｍｍ、端部配光のハロゲンランプヒーター１８８の出力が７００Ｗ、両端のフィラメント長５０ｍｍであるものとする。
【００７４】
制御部１０は、プリント（画像形成）を開始しようとしている用紙Ｐが「大サイズ」であるか否かを判断する（ステップＳ８０１）。すなわち、用紙Ｐの搬送方向に直交する幅が、中央配光のハロゲンランプヒーター１８６のフィラメント１８６ｂよりも大きく、全域配光のハロゲンランプヒーター１８７のフィラメント１８７ｂ以下であるか否かを判断する。
【００７５】
制御部１０は、プリント（画像形成）を開始しようとしている用紙Ｐが「大サイズ」であると判断した場合（ステップＳ８０１：Ｙｅｓ）、温度検出部１８５の出力に基づき、全域配光のハロゲンランプヒーター１８７に対する印加パターンと、中央配光のハロゲンランプヒーター１８６に対する印加パターンをそれぞれ算出する（ステップＳ８０２）。そして、これらの印加パターンに基づいて交流電源１８１１の交流波形の半波を適宜選択した駆動電圧を全域配光のハロゲンランプヒーター１８７及び中央配光のハロゲンランプヒーター１８６に印加して、目標温度になるように調整する（ステップＳ８０３）。
【００７６】
ここで、端部配光のハロゲンランプヒーター１８８はＯＮ／ＯＦＦ制御を行い、当該ＯＮ／ＯＦＦ制御によるフリッカの発生を抑えるため、全域配光のハロゲンランプヒーター１８７はデューティー比を１００％として、全域配光のハロゲンランプヒーター１８７を全点灯させる。
【００７７】
ステップＳ８０３において、全域配光のハロゲンランプヒーター１８７に、デューティー比が１００％（全点灯）の駆動電圧を印加した場合、全域配光のハロゲンランプヒーター１８７のフィラメント長３２０ｍｍのうち、中央配光のハロゲンランプヒーター１８６のフィラメント長２１０ｍｍに相当する部分で、出力される熱量は、
（７００Ｗ／３２０ｍｍ）×２１０＝４５９．４Ｗ
である。
【００７８】
そして、例えば、「大サイズ」の用紙Ｐの定着に必要な目標温度（例えば、１８０℃以上２００℃以下）に加熱するための熱量が８２０Ｗ程度であるとした場合、中央配光のハロゲンランプヒーター１８６で必要とされる熱量は、
８２０Ｗ−４５９．４Ｗ＝３６０Ｗ
であり、このような熱量を得るためのデューティー比は、
３６０Ｗ／９００Ｗ＝４０％
となり、低デューティー比の駆動電圧となってしまう。
【００７９】
したがって、制御部１０は、低デューティー比（４０．０％以下）の駆動電圧の印加時間が所定の時間を超えたか否かを判断する（ステップＳ８０４）。ここで、所定の時間を超えた場合には、全域配光のハロゲンランプヒーター１８７をＯＦＦ（消灯）にして、中央配光のハロゲンランプヒーター１８６に印加する駆動電圧のデューティー比を高くすることにより、中央配光のハロゲンランプヒーター１８６の劣化を防止する。
【００８０】
すなわち、制御部１０は、低デューティー比の駆動電圧の印加時間が所定の時間を超えたと判断した場合（ステップＳ８０４：Ｙｅｓ）、温度検出部１８５の出力に基づき、中央配光のハロゲンランプヒーター１８６に対する印加パターンを算出する（ステップＳ８０５）。そして、全域配光のハロゲンランプヒーター１８７をＯＦＦ（消灯）にすると共に、当該印加パターンに基づいて交流電源１８１１の交流波形の半波を適宜選択した駆動電圧を中央配光のハロゲンランプヒーター１８６に印加して、目標温度になるように調整する（ステップＳ８０６）。この時、端部配光のハロゲンランプヒーター１８８はＯＮ／ＯＦＦ制御を行う。
【００８１】
例えば、中央配光のハロゲンランプヒーター１８６に対する印加パターンのデューティー比を１００％（９００Ｗ）にする。
【００８２】
但し、端部配光のハロゲンランプヒーター１８８の出力は７００Ｗであり、常時ＯＮにしていたとしても、「大サイズ」の用紙Ｐの定着に必要な熱量である８２０Ｗ程度にはならない。このため、定着ローラー１８３の端部の温度低下が生じる。
【００８３】
そこで、制御部１０は、定着ローラー１８３の端部の温度が低下して、所定の閾値以下になったか否かを判断し（ステップＳ８０７）、所定の閾値以下になったと判断した場合（ステップＳ８０７：Ｙｅｓ）、温度検出部１８５の出力に基づき、全域配光のハロゲンランプヒーター１８７及び中央配光のハロゲンランプヒーター１８６に対する印加パターンをそれぞれ算出する（ステップＳ８０８）。そして、これらの印加パターンに基づいて交流電源１８１１の交流波形の半波を適宜選択した駆動電圧を全域配光のハロゲンランプヒーター１８７及び中央配光のハロゲンランプヒーター１８６に印加して、目標温度になるように調整する（ステップＳ８０９）。
【００８４】
一方、制御部１０は、所定の閾値以下になっていない判断した場合（ステップＳ８０７：Ｎｏ）、プリント（画像形成）が終了したか否かを判断し（ステップＳ８１０）、プリント（画像形成）が終了していないと判断した場合（ステップＳ８１０：Ｎｏ）、ステップＳ８０７に戻り、プリント（画像形成）が終了したと判断した場合（ステップＳ８１０：Ｙｅｓ）、処理を終了する。
【００８５】
例えば、ステップＳ８０８において、低デューティー比の駆動電圧にならないように、全域配光のハロゲンランプヒーター１８７及び中央配光のハロゲンランプヒーター１８６に対する印加パターンのデューティー比をそれぞれ７１．４％にする。
【００８６】
この場合、全域配光のハロゲンランプヒーター１８７のフィラメント長３２０ｍｍのうち、端部配光のハロゲンランプヒーター１８８のフィラメント長１００ｍｍ（５０ｍｍ×２）に相当する部分で、出力される熱量は、
（７００Ｗ／３２０ｍｍ）×１００ｍｍ×７１．４％＝１５６．２Ｗ
である。
【００８７】
そして、端部配光のハロゲンランプヒーター１８８は、ＯＮ／ＯＦＦ制御であるため、デューティー比に置き換えれば、０％、若しくは、１００％であり、したがって、端部配光のハロゲンランプヒーター１８８が出力する熱量は、
７００Ｗ×１００％＝７００Ｗ
となる。
【００８８】
このため、定着ローラー１８３（端部配光のハロゲンランプヒーター１８８のフィラメント長１００ｍｍに相当する部分）に供給される熱量は、
１５６．２Ｗ＋７００Ｗ＝８５６．２Ｗ
となり、「大サイズ」の用紙Ｐの定着に必要な熱量である８２０Ｗ程度よりも大きいので、定着ローラー１８３の端部の温度上昇が生じる。
【００８９】
そこで、制御部１０は、定着ローラー１８３の端部の温度が上昇して、所定の閾値以上になったか否かを判断し（ステップＳ８１１）、所定の閾値以上になったと判断した場合（ステップＳ８１１：Ｙｅｓ）、ステップＳ８０２に戻る。一方、所定の閾値以上になっていないと判断した場合（ステップＳ８１１：Ｎｏ）、プリント（画像形成）が終了したか否かを判断し（ステップＳ８１２）、プリント（画像形成）が終了していないと判断した場合（ステップＳ８１２：Ｎｏ）、ステップＳ８１１に戻り、プリント（画像形成）が終了したと判断した場合（ステップＳ８１２：Ｙｅｓ）、処理を終了する。
【００９０】
以上のように、制御部１０は、駆動電圧を印加する複数のハロゲンランプヒーターのうち一つのハロゲンランプヒーターに対して、デューティー比が所定の値以下である印加パターンに基づく駆動電圧の印加時間が所定の時間を超えた場合、複数のハロゲンランプヒーターの全て又は一つに、デューティー比が所定の値よりも高いの印加パターンに基づく駆動電圧を印加することにより、ケミカルアタックの発生を抑え、ハロゲンランプヒーターの寿命を延ばすことができる。
【００９１】
（変形例）
実施形態（小サイズの用紙のプリント時の動作）の説明に際しては、デューティー比が所定の値以下である印加パターンに基づく駆動電圧の印加時間が所定の時間を超えた場合、配光の異なるハロゲンランプヒーターに、デューティー比が所定の値よりも高い印加パターンに基づく駆動電圧を印加しているが、複数のハロゲンランプヒーターの全てに、デューティー比が所定の値よりも高い印加パターンに基づく駆動電圧を印加するようにしてもよい。
【００９２】
例えば、用紙Ｐが「小サイズ」、且つ、紙厚が厚く、必要とされる熱量が大きい場合を想定する。また、全域配光のハロゲンランプヒーター１８７の出力が７００Ｗ、フィラメント長３２０ｍｍ、中央配光のハロゲンランプヒーター１８６の出力が９００Ｗ、フィラメント長２１０ｍｍであるものとする。
【００９３】
そして、「小サイズ」、且つ、紙厚が厚い用紙Ｐの定着に必要な目標温度（例えば、１８０℃以上２００℃以下）に加熱するための熱量が１０８４Ｗ程度であるとした場合、中央配光のハロゲンランプヒーター１８６に対する印加パターンのデューティー比を１００％（９００Ｗ）にしても、必要とする熱量には１８４Ｗだけ足らないので、全域配光のハロゲンランプヒーター１８７を併用する必要がある。
【００９４】
全域配光のハロゲンランプヒーター１８７に、デューティー比が１００％（全点灯）の駆動電圧を印加した場合、全域配光のハロゲンランプヒーター１８７のフィラメント長３２０ｍｍのうち、中央配光のハロゲンランプヒーター１８６のフィラメント長２１０ｍｍに相当する部分で、出力される熱量は、
（７００Ｗ／３２０ｍｍ）×２１０＝４５９．４Ｗ
である。
【００９５】
そして、全域配光のハロゲンランプヒーター１８７で必要とされる熱量は、１８４Ｗであり、このような熱量を得るためのデューティー比は、
１８４Ｗ／４５９．４Ｗ＝４０％
となり、低デューティー比の駆動電圧となってしまう。
【００９６】
したがって、制御部１０は、低デューティー比（４０．０％以下）の駆動電圧の印加時間が所定の時間を超えた場合には、全域配光のハロゲンランプヒーター１８７及び中央配光のハロゲンランプヒーター１８６の全てに、デューティー比が所定の値（４０％）よりも高い印加パターンに基づく駆動電圧を印加するようにしてもよい。
【００９７】
具体的には、全域配光のハロゲンランプヒーター１８７にデューティー比が１００％の印加パターンに基づく駆動電圧を印加し、中央配光のハロゲンランプヒーター１８６にデューティー比が７１．４％の印加パターンに基づく駆動電圧を印加する。この場合、中央配光のハロゲンランプヒーター１８６のフィラメント長２１０ｍｍに相当する部分に供給される熱量は、１１０２Ｗになる。
【００９８】
或いは、全域配光のハロゲンランプヒーター１８７にデューティー比が８０％の印加パターンに基づく駆動電圧を印加し、中央配光のハロゲンランプヒーター１８６にデューティー比が８０％の印加パターンに基づく駆動電圧を印加する。この場合、中央配光のハロゲンランプヒーター１８６のフィラメント長２１０ｍｍに相当する部分に供給される熱量は、１０８７．５Ｗになる。
【００９９】
このように、全域配光のハロゲンランプヒーター１８７及び中央配光のハロゲンランプヒーター１８６に、デューティー比が所定の値よりも高い前記印加パターンに基づく駆動電圧を印加することにより、ケミカルアタックの発生を抑え、ハロゲンランプヒーターの寿命を延ばすことができる。
【０１００】
また、全域配光のハロゲンランプヒーター１８７を併用して、デューティー比が所定の値（４０％）よりも高い印加パターンに基づく駆動電圧を印加した場合、定着ローラー１８３の非通紙領域の温度が上昇して所定の閾値以上になることがある。
【０１０１】
このような場合、図７中のステップＳ７１１のように、一旦、プリント（画像形成）を中止し、全てのハロゲンランプヒーターをＯＦＦ（消灯）し、定着ローラー１８３を回転させることにより、定着ローラー１８３の非通紙領域の温度を低下させるように制御してもよい。また、一時的に、全域配光のハロゲンランプヒーター１８７のデューティー比を下げて（例えば、４０％）、定着ローラー１８３の非通紙領域の温度を低下させるように制御してもよい。
【０１０２】
以上のように、制御部１０は、駆動電圧が印加される２本のハロゲンランプヒーターのうち一つのハロゲンランプヒーターに対して、デューティー比が所定の値以下である印加パターンに基づく駆動電圧の印加時間が所定の時間を超えた場合、２本のハロゲンランプヒーターに、デューティー比が所定の値よりも高い前記印加パターンに基づく駆動電圧を印加することにより、ケミカルアタックの発生を抑え、ハロゲンランプヒーターの寿命を延ばすことができる。
【０１０３】
なお、実施形態（大サイズの用紙のプリント時の動作）の説明に際しては、端部の温度が閾値以下の場合、印加パターンのデューティー比を上げることにより、端部の温度を上げているが、それでも、端部の温度が上昇しない場合、全域配光のハロゲンランプヒーター１８７を全点灯させ、デューティー比が所定の値以下の印加パターンに基づく駆動電圧を中央配光のハロゲンランプヒーター１８６に印加するようにしてもよい。
【０１０４】
すなわち、全域配光のハロゲンランプヒーター１８７を全点灯させ、一気に端部の温度を上昇させることにより、デューティー比が所定の値以下の印加パターンに基づく駆動電圧が、一時的に、中央配光のハロゲンランプヒーター１８６に印加されるものの、その印加時間を抑えることができるので、ケミカルアタックの発生を抑え、ハロゲンランプヒーターの寿命を延ばすことができる。
【０１０５】
また、実施形態の説明に際しては、画像定着部１８が、定着ローラー１８３と加圧ローラー１８４は、用紙Ｐを挟持して搬送するニップ部を構成しているが、加熱部材である加熱ローラーと、定着ベルトとを備え、定着ベルトは、加熱ローラーと、定着ローラー１８３とに張架され、定着ローラー１８３及び加圧ローラー１８４は、当該定着ベルトを介して、用紙Ｐを挟持して搬送するニップ部を構成するようにしてもよい。
【０１０６】
また、実施形態の説明に際しては、例えば、Ｙ（イエロー）、Ｍ（マゼンタ）、Ｃ（シアン）、Ｋ（ブラック）等の色毎に画像形成用のユニットを備え、用紙Ｐ上にカラー画像を形成する画像形成装置１を例示したが、一例であってこれに限られるものではなく、例えば、単色の画像を形成する画像形成装置であってもよい。
【０１０７】
また、実施形態の説明に際しては、定着ローラーと加圧ローラーを区別して説明しているが、一対の定着部材と考えてもよい。
【０１０８】
また、実施形態の説明に際しては、記録媒体として用紙を例示しているが、記録媒体は紙に限定されるものではなく、トナー像を形成及び定着可能なシート状のものであればよく、例えば、不織布、プラスチックフィルム、皮革等でもよい。
【符号の説明】
【０１０９】
１  画像形成装置
１０    制御部（制御手段）
１８    画像定着部
１８３  定着ローラー
１８４  加圧ローラー
１８５  温度検出部（温度検出手段）
１８６、１８７、１８８  ハロゲンランプヒーター
１８１１  交流電源
１８１２、１８１３、１８１４  スイッチング素子
１８１５  ゼロクロス検出部
Ｐ  用紙（記録媒体）
ＣＳ１８１、ＣＳ１８２、ＣＳ１８３  制御信号
ＺＣ１８１  ゼロクロス信号
【図１】
0006414039.tif 000002
【図２】
0006414039.tif 000003
【図３】
0006414039.tif 000004
【図４】
0006414039.tif 000005
【図５】
0006414039.tif 000006
【図６】
0006414039.tif 000007
【図７】
0006414039.tif 000008
【図８】
0006414039.tif 000009